【事件の表示】
　昭和６３年特許願第２０６４９１号「能動ディスプレイ用アドレス装置」拒絶査定に対する審判事件［平成　１年　４月　４日出願公開、特開平　１−　８９７７３］について、次のとおり審決する。
【結　論】
　本件審判の請求は、成り立たない。
【理　由】
［１］手続の経緯、本願発明
　本願は、昭和６３年８月２２日（パリ条約による優先権主張１９８７年８月２４日、米国）の出願であって、請求項１に係る発明（以下「本願発明」という）は、平成９年１１月２７日付け及び平成１１年３月１０日付け手続補正書により補正された明細書および図面の記載からみて、特許請求の範囲の請求項１に記載された次のとおりのものである。
　「行及び列のマトリクスパターン状に配列したディスプレイ素子を具えた能動型アドレスディスプレイ装置であって、該能動型アドレスディスプレイ装置は、入力ラインをサンプリングするサンプリング手段を含み、該ディスプレイ素子の列は、記憶コンデンサに関連する各々のソースラインの各々に結合され、該ディスプレイ素子は、該サンプリング手段によって得られ、該記憶コンデンサに記憶された信号サンプルを該ソースラインを介して、ディスプレイ素子の行に転送するスイッチ手段に接続した能動型アドレスディスプレイ装置において、該サンプリング手段は、ｎ個のサンプルホールド回路を具え、ディスプレイ素子の行に対して、ｎ個の逐次的に発生するサンプル信号の各入力ラインのｍ個の後続する組を提供し、ここでｍ×ｎは、ソースラインの数に相当し、各信号サンプルは、時間間隔ｔ１に亘って得られ、転送手段は、該サンプリング手段のｎ個のサンプルホールド回路と、該サンプリング手段から該記憶コンデンサのそれぞれに、該ディスプレイ素子の行に対する前記逐次的に発生する信号サンプルの各々の組を転送する該記憶コンデンサとの間に結合されており、該能動型アドレスディスプレイ装置は、さらに、該コンデンサからディスプレイ素子に（ｍ×ｎ）個の逐次的に発生するサンプルを同時的に転送するスイッチ手段のための制御手段を具えたことを特徴とする能動型アドレスディスプレイ装置。」
［２］引用例
　これに対して、当審において平成１１年１２月１０日付けで通知した拒絶の理由に引用した特開昭６１−１１７５９９号公報（昭和６１年６月４日出願公開。以下「引用例１」という）には、「アクティブマトリクス型映像表示装置」に関し、
（ａ）「アクティブマトリクス形映像表示装置において、各画素に加える映像信号をサンプルホールドするアナログスイッチング素子へのスイッチングパルスが、各々隣接するパルス相互間において位相が異なり、かつ同一周期において重なっていることを特徴とする映像表示装置のスイッチングパルス。」（第１頁左下欄第５行〜第１１行、特許請求の範囲）、
（ｂ）「アクティブマトリクス形映像表示装置の水平方向の画素への映像信号を記憶し、かつ転送するサンプルホールド回路の操作は、シフトレジスタからの制御信号によって行われる。本発明は、シフトレジスタからサンプルホールド回路のアナログスイッチング素子に送られるスイッチングパルスの位相を、隣りどうし任意の位相差（例えば４５゜、９０゜等）にずらし、かつ同一時間において隣りどうしのパルスが重なるように、シフトレジスタのスイッチングクロックに対応して充電期間を増やしたものである。」（公報第２頁左上欄第１９行〜右上欄第９行）と記載され、
（ｃ）第６及び７図に関する第２実施例として、サンプルホールド回路７とシフトレジスタ１とアナログスイッチング素子２とサンプルホールド用コンデンサー３からなる回路構成が図示され、「第６図は第２の実施例における回路構成を示す図、第７図イは各シフトレジスタへのタイミングクロックを示し、ロはシフトレジスタからのスイッチングパルスを示したものである。この回路では、上下にそれぞれシフトレジスタを２個づつ配置し、スイッチング素子への制御信号線を１列毎にそれぞれ上下のシフトレジスタに振り分けると共に、振り分けた信号線を更に１本毎、交互に２組のシフトレジスタに結線している。第６図の回路構成では、映像信号を、サンプルホールド回路７において、スイッチングクロック位相差に相当するクロックでサンプルホールドして振り分けることを特徴としている。上記回路構成において、各シフトレジスタへのタイミングクロックとしては、第７図イに示す様な４５゜ずつ位相がずれた２５％デューティクロックを入力する。この様なクロックが入力した場合、アナログスイッチング素子へのスイッチングパルスは第７図ロ１〜４の様になる。第７図ロは、隣りどうしの素子で、パルス位相が４５゜ずれて重なっていることを示している。１〜４でのパルスを見ると、１つのスイッチング素子へ４Ｔ期間パルスが加わり、隣りどうし３／４重なっているが、前述した様にサンプルホールドコンデンサーへの映像データには影響はない。」（第２頁右下欄第１７行〜第３頁右上欄第２行」、
（ｄ）「発明の効果」について、「さらに第２の実施例によれば、スイッチング素子への充電時間（サンプリングタイム）が、従来の４倍（４Ｔ）とれる為、充電効率が良くなり、従来の様な高速アナログスイッチング素子を使わなくてもよいという利点がある。」（第３頁左下欄第７行〜第１１行）と記載されている。
　同じく拒絶の理由に引用した特開昭６２−４９３９９号公報（昭和６２年３月４日出願公開。以下「引用例２」という）には、「表示パネルの駆動方法」に関し、
（ｅ）「［従来技術］従来から、薄膜トランジスタ（以下、ＴＦＴと略称する）を用いて高密度化した２次元マトリクス状液晶パネル（アクティブマトリクス型液晶パネル）を使用して、多値画像、例えばテレビジョン画像を表示する表示パネルが提案されている。この種の表示パネルは、例えば第３図に示すように構成され、・・・第３図において、・・・Ｔ１〜Ｔｍはスイッチング４により切換えられた信号を制御信号Ｈ１〜Ｈｍに従って、コンデンサＣ１〜Ｃｍにそれぞれ分配するためのスイッチ、Ｓ１〜ＳｍはコンデンサＣ１〜Ｃｍに接続される液晶パネル１１のソース線、Ｇ１〜Ｇｎは液晶パネル１１のゲート線、ＬＣ１１〜ＬＣｎｍは液晶パネルの各画素、５は水平同期信号（ＨＤ）入力端子、・・・７はクロック発生回路の出力により、ＨＤに同期した順次走査パルスＨ１〜Ｈｍを発生する水平シフトレジスタ、・・・１０はＨＤ周期でシフトし、ＶＤに同期した順次走査パルスを発生する垂直シフトレジスタで、・・・である。前述の駆動回路において、映像信号入力端子１には、例えばテレビジョン信号の様な映像信号が入力され、増幅器２で液晶をドライブするのに適当な信号振幅に増幅される。・・・この信号はスイッチＴ１〜Ｔｍの共通端子に加えられ、制御信号Ｈ１〜Ｈｍに従って、コンデンサＣ１〜Ｃｍ及び、Ｃ１〜Ｃｍに接続されたソース線Ｓ１〜Ｓｍに分配される。制御信号Ｈ１〜Ｈｍはクロック発生回路６により発生した水平走査期間の略々ｍ倍のクロックを水平シフトレジスタ７に入力し、Ｈ１〜Ｈｍまで、１水平期間内に順次走査する様にしたものであり、スイッチＴ１からＴｍを順次１クロック期間だけ導通させることにより、コンデンサＣ１からＣｍに水平方向の画素ＬＣｋ１〜ＬＣｋｍ（ｋ＝１〜ｎ）にそれぞれ対応した映像信号をサンプルホールドする。Ｃ１〜Ｃｍにサンプルホールドされた信号は、映像信号の水平帰線期間中にゲート線Ｇ１〜Ｇｎのうち１本がＯＮとなり、１ライン分の画素ＬＣｋ１〜ＬＣｋｍに転送されて表示される。ゲート線Ｇ１〜ＧｎにはＨＤをクロックとし、Ｇ１からＧｎまで１垂直走査期間内に順次走査する様な信号を垂直シフトレジスタ１０により発生させて加える。」（公報第１頁右下欄第１０行〜第２頁左下欄第８行）、
（ｆ）「第５図は、上記の画素ＬＣ１１〜ＬＣｎｍの一例を示す構成図である。・・・ＴＦＴ１２のソース信号Ｓとしては、映像信号をサンプルホールドした信号が供給されており、ゲートラインＧには、垂直走査信号が加えられる。ゲートラインＧがＯＮの期間に、ＴＦＴ１２のソースＳとドレインＤが導通し、ソースラインＳの電圧が液晶セル１４のキャパシタンスＣ１ｃに移され、」（第２頁右下欄第４行〜第１３行）と記載されている。
［３］本願発明と引用例１との対比・判断
［３−１］本願発明と引用例１に記載された第２実施例に係る発明とを対比すると、引用例１の「サンプルホールド回路７」「サンプルホールド用コンデンサー３」「アナログスイッチング素子２」「アクティブマトリクス形映像表示装置」は、それぞれ本願発明の「サンプリング手段」「記憶コンデンサ」「転送手段」「能動型アドレスディスプレイ装置」に相当している。
　そして、引用例１において、「サンプルホールド用コンデンサー」と映像表示装置のディスプレイ素子部分との関係について図示が省略されているが、「サンプルホールド用コンデンサー」は、アクティブマトリクス形映像表示装置の水平方向の画素への映像信号を記憶し、かつ転送するためのものであるので、上記コンデンサに記憶された信号サンプルはソースラインを介してディスプレイ素子の行に転送され、ディスプレイ素子の列は、上記コンデンサに関連するソースラインに各々結合されるものであることは、明らかである。
　また、引用例１において、アナログスイッチング素子への制御信号線は４つのシフトレジスタに結線され、上記アナログスイッチング素子へのスイッチングパルスは、隣どうしの素子に対しては位相（Ｔ）がずれ、パルス幅は４Ｔ期間とすること、及びサンプルホールド回路において、スイッチングクロック位相差に相当するクロックでサンプルホールドして振り分けることが記載されている（（ｃ）参照）ので、引用例１のサンプルホールド回路は、逐次的に発生するサンプル信号を４つのラインに振り分けて、ディスプレイ素子の行のソースラインの数の信号サンプルを出力している。
　してみると、両者は、
「行及び列のマトリクスパターン状に配列したディスプレイ素子を具えた能動型アドレスディスプレイ装置であって、該能動型アドレスディスプレイ装置は、入力ラインをサンプリングするサンプリング手段を含み、該ディスプレイ素子の列は、記憶コンデンサに関連する各々のソースラインの各々に結合され、該ディスプレイ素子は、該サンプリング手段によって得られ、該記憶コンデンサに記憶された信号サンプルを該ソースラインを介して、ディスプレイ素子の行に転送する手段に接続した能動形アドレスディスプレイ装置において、該サンプリング手段は、サンプルホールド回路を具え、逐次的に発生するサンプル信号を出力し、転送手段は、該サンプリング手段のサンプルホールド回路と、該サンプリング手段から該記憶コンデンサのそれぞれに、該ディスプレイ素子の行に対する逐次的に発生する信号サンプルを転送する該記憶コンデンサとの間に結合されている能動形アドレスディスプレイ装置」である点で一致し、以下の点で一応相違している。
（イ）本願発明においては、「サンプリング手段」は、「ｎ個のサンプルホールド回路を具え、ディスプレイ素子の行に対して、ｎ個の逐次的に発生するサンプル信号の各入力ラインのｍ個の後続する組を提供し、ここでｍ×ｎは、ソースラインの数に相当し、各信号サンプルは、時間間隔ｔ１に亘って得られ」るものであり、「転送手段」は、「信号サンプルの各々の組を転送する」ものであるのに対し、引用例１に記載された発明においては、サンプルホールド回路は、スイッチングクロック位相差に相当するクロックでサンプルホールドして４つのラインに振り分け、ソースラインの数に相当する数の信号サンプルを提供するものであり、転送手段に対応するアナログスイッチング素子は、信号サンプルを転送するものである点。
（ロ）「記憶コンデンサに記憶された信号サンプルをソースラインを介して、ディスプレイ素子の行に転送する」手段について、本願発明においては、「スイッチング手段」であり、「記憶コンデンサからディスプレイ素子に（ｍ×ｎ）個のサンプルを同時に転送するスイッチ手段のための制御手段を具えた」ことが必須の構成であるのに対し、引用例１には特に記載されていない点。
［３−２］相違点について、以下検討する。
［相違点（イ）について］
　引用例１においては、組の記載はないものの、スイッチングクロック位相差に相当するクロックでサンプルホールドして４つのラインに振り分けられる信号サンプルは、所定の時間間隔に亘って得られ、逐次的に発生するものであり、第６図に図示される隣りどうしのアナログスイッチング素子４つに第７図ロのスイッチングパルスが順次加わり、さらに続くアナログスイッチング素子に同様にスイッチングパルスが順次加わるものであるから、引用例１に記載された発明は、本願発明のｎを４としてこれを１つの組とする場合に対応し、ディスプレイ素子の行に対して、ｍ個の組（ソースラインの数をｍ×ｎとおくとき）を出力することに対応している。そして、引用例１において、サンプルホールド回路の数は不明であるが、スイッチングクロック位相差に相当するクロックでサンプルホールドして信号サンプルをｎ個のラインに振り分けることが記載されている以上、本願発明のように、ｎ個のサンプルホールド回路を設け、ｎ個の逐次的に発生するサンプル信号の各入力ラインのｍ個の後続する組を提供するようにし、転送手段は、信号サンプルの各々の組を転送するとすることは、当業者が容易に想到しうることである。
［相違点（ロ）について］
　本願発明や引用例１に記載された発明と共通のアクティブマトリクスディスプレイ装置に関する引用例２には、記憶コンデンサに信号サンプルを順次記憶した後、１行分の該サンプルを、スイッチ手段（ＴＦＴ１２）とそのゲートの制御により同時にディスプレイ素子の行に転送すること（（ｅ）（ｆ）参照）が記載されている。してみれば、引用例１に記載された発明において、記憶コンデンサから信号サンプルをディスプレイ素子に転送する手段として、引用例２に記載されたスイッチ手段を採用し、同時に転送することは、当業者が容易になし得ることにすぎない。
　そして、本願発明は、上記相違点（イ）（ロ）を総合して勘案しても、その作用効果は、上記引用例１及び２に記載された発明から当業者であれば予測することができる程度のものであって、格別のものではない。
［４］むすび
　したがって、本願発明は、本願出願前に頒布された刊行物である引用例１及び２に記載された発明に基いて当業者が容易に発明をすることができたものであるから、特許法第２９条第２項の規定により特許を受けることができない。
　よって、結論のとおり審決する。